(57)【特許請求の範囲】
【請求項１】
少なくとも２日以上連続して測定した測定データを表示部に表示する際に、当該２日以上の測定日の一部を前記測定データと共に表示する測定データの表示方法において、
下１桁が１の日および６の日のいずれかに該当する測定日が前記２日以上の測定日に含まれているときに、その該当する測定日を優先的に表示することを特徴とする測定データの表示方法。
【請求項２】
前記下１桁が１の日および６の日に該当する測定日が所定数以上存在するときは、前記下１桁が１の日を優先的に表示することを特徴とする請求項１記載の測定データの表示方法。
【請求項３】
少なくとも２日以上連続して測定した測定データを表示部に表示する際に、当該２日以上の測定日の一部を前記測定データと共に表示する測定データの表示方法において、
下１桁が１の日に該当する測定日が前記２日以上の測定日に含まれているときに、その該当する測定日を優先的に表示することを特徴とする測定データの表示方法。
【請求項４】
前記２日以上の測定日に、月初めの１日が複数含まれているときは、当該月初めの１日をさらに優先的に表示することを特徴とする請求項１から３のいずれかに記載の測定データの表示方法。
【請求項５】
前記２日以上の測定日に、月初めの１日が所定数以上含まれているときは、隔月または数ヶ月おきの月初めの１日を最優先で表示することを特徴とする請求項１から４のいずれかに記載の測定データの表示方法。
【請求項６】
前記表示部に前記測定日を表示する際に、当該表示する測定日に対応させて時間軸目盛りを表示することを特徴とする請求項１から５のいずれかに記載の測定データの表示方法。
【発明の詳細な説明】
【０００１】
【発明の属する技術分野】
本発明は、長期間に亘って連続して測定した測定データを測定日と共に表示部に表示する測定データの表示方法に関し、詳しくは、それらの測定日の一部を表示する測定データの表示方法に関するものである。
【０００２】
【従来の技術】
例えば、温度や湿度などを長期に亘って連続して測定し、測定した測定データと測定日の一部とを表示すると共に、表示した測定日に対応する時間軸目盛りを表示する表示方法として、以下のように処理する表示方法が従来から知られている。すなわち、従来の表示方法では、図１１に示すように、表示画面３１に表示する測定期間（以下、「表示期間」ともいう）が、例えば、１２月１日から２ヶ月に亘るときは、先頭に表示する時間軸目盛り３２に対応する測定日を１２月１日とし、１２月１日を基準とする１０日おきの時間軸目盛り３２，３２・・と、その時間軸目盛り３２に対応する測定日とを表示する。また、例えば、表示する測定期間が３ヶ月、６ヶ月、１２ヶ月または６年の場合には、先頭に表示した測定日を基準として、１５日おき、３０日おき、６０日おき、または４８０日おきの測定日と、対応する時間軸目盛り３２とを等間隔の位置にそれぞれ表示する。これにより、オペレータは、長期に亘って測定したデータを１画面で確認することができる。また、表示画面３１に表示された測定データをプリンタによってプリントアウトすることにより、測定データを記録紙に印刷し、これにより、手元資料として活用することもできる。
【０００３】
【発明が解決しようとする課題】
ところが、この従来の表示方法には以下の問題点がある。
第１に、時間軸目盛り３２が等間隔で刻まれているために、表示期間が長期に亘る場合には、同図に示すように、時間軸目盛り３２に対応する測定日が、月末になったり月末から２日目などになったりする。これは、表示期間が長期に亘る程、月初めからのずれが顕著になる。この結果、例えば、倉庫や工場における室内温度を月毎または数ヶ月毎に管理する場合、月毎に区切られて測定データが表示されていないため、一見してその内容を確認することができず、極めて管理しにくいという問題点がある。
第２に、表示画面３１に表示されている表示内容をプリントアウトし、月報用、旬報用または年報用の資料として用いる場合などにおいては、月初めが表示されないため、資料として活用しにくいという問題点がある。
第３に、例えば、２つのカーソルを測定データと共に表示画面３１に表示し、両カーソル間における測定データのみを拡大して表示可能にする機能を付加する場合にも問題点が生じる。つまり、両カーソルを、月初めと、次の月初めまたは数ヶ月後の月初めとにそれぞれ位置合わせするような場合、表示期間が長期に亘っているときには、月初めが表示されていないため、カーソルを迅速に位置合わせすることが困難であるという問題点がある。
【０００４】
本発明は、かかる問題点に鑑みてなされたものであり、長期に亘って測定された測定データを区切れよく表示することが可能な測定データの表示方法を提供することを主目的とする。
【０００５】
【課題を解決するための手段】
上記目的を達成すべく請求項１記載の測定データの表示方法は、少なくとも２日以上連続して測定した測定データを表示部に表示する際に、その２日以上の測定日の一部を測定データと共に表示する測定データの表示方法において、下１桁が１の日および６の日のいずれかに該当する測定日が、その２日以上の測定日に含まれているときに、その該当する測定日を優先的に表示することを特徴とする。
【０００６】
この測定データの表示方法では、表示部に表示する測定日に、毎月の１日、６日、１１日、１６日、２１日、２６日が含まれているときは、それらの測定日が表示部に優先的に表示される。このため、測定データが月毎、半月毎または１０日毎に区切れよく表示される。この結果、測定データを月毎などで容易に確認することが可能となる。また、表示部の表示内容をプリントアウトすることによって作成した資料による測定データの月毎管理などが極めて容易となる。
【０００７】
請求項２記載の測定データの表示方法は、請求項１記載の測定データの表示方法において、下１桁が１の日および６の日に該当する測定日が所定数以上存在するときは、下１桁が１の日を優先的に表示することを特徴とする。
この場合、「所定数」は、表示部の表示領域の大きさや、表示する文字の大きさなどによって適宜定められる。
【０００８】
請求項３記載の測定データの表示方法は、少なくとも２日以上連続して測定した測定データを表示部に表示する際に、その２日以上の測定日の一部を測定データと共に表示する測定データの表示方法において、下１桁が１の日に該当する測定日が、その２日以上の測定日に含まれているときに、その該当する測定日を優先的に表示することを特徴とする。
【０００９】
表示部に表示することができる表示内容には、ある程度の限界がある。したがって、表示期間が長期に亘ると、表示部に表示する測定日の表示を、ある程度制限する必要がある。請求項２および３記載の測定データの表示方法では、毎月の月初めの１日、１１日および２１日が優先的に表示されるため、表示内容がより見易くなり、これにより、月毎の管理などが極めて容易となる。
【００１０】
請求項４記載の測定データの表示方法は、請求項１から３のいずれかに記載の測定データの表示方法において、２日以上の測定日に、月初めの１日が複数含まれているときは、月初めの１日をさらに優先的に表示することを特徴とする。
【００１１】
この測定データの表示方法では、表示期間が数ヶ月以上に亘る場合には、月初めの１日を優先的に表示する。これにより、各月の日数が３０日または３１日であっても、常に月初めの１日が表示される結果、月報などによる測定データの管理が非常に容易となる。
【００１２】
請求項５記載の測定データの表示方法は、請求項１から４のいずれかに記載の測定データの表示方法において、２日以上の測定日に、月初めの１日が所定数以上含まれているときは、隔月または数ヶ月おきの月初めの１日を最優先で表示することを特徴とする。
この場合においても、「所定数」は、表示部の表示領域の大きさや、表示する文字の大きさなどによって適宜定められる。
【００１３】
この測定データの表示方法では、隔月または数ヶ月毎における月初めの１日が表示されるため、旬報などによる測定データの管理が非常に容易となる。
【００１４】
請求項６記載の測定データの表示方法は、請求項１から５のいずれかに記載の測定データの表示方法において、表示部に測定日を表示する際に、表示する測定日に対応させて時間軸目盛りを表示することを特徴とする。
【００１５】
この測定データの表示方法では、測定日の表示と共に時間軸目盛りを表示する。これにより、例えば、２つのカーソルを表示部に併せて表示し、両カーソル間における測定データのみを拡大して表示する場合など、両カーソルを、月初めと、次の月初めまたは数ヶ月後の月初めにそれぞれ迅速に位置合わせすることが可能となる。
【００１６】
【発明の実施の形態】
以下、温度湿度測定装置を例に挙げて、添付図面を参照しつつ、本発明に係る測定データの表示方法の好適な実施の形態について説明する。
【００１７】
図１０に示す温度湿度測定装置１（以下、「測定装置１」という）は、温度、湿度および露点温度の長期間に亘っての測定を可能に構成されると共に、これらの測定データを表示可能に構成されている。
【００１８】
まず、測定装置１の構成について、同図を参照して説明する。
【００１９】
同図に示すように、測定装置１は、温度および湿度に応じた電圧のセンサ信号を出力する温度・湿度センサ２と、温度・湿度センサ２のセンサ信号を増幅するアンプ部３と、アンプ部３によって増幅されたセンサ信号をアナログ−ディジタル変換するＡ／Ｄ変換部４と、Ａ／Ｄ変換部４によって変換されたセンサ信号に基づく温度、湿度および露点温度の演算、並びに表示部９に対する表示制御などを実行するＣＰＵ５と、ＣＰＵ５の制御プログラムを記憶するＲＯＭ６と、ＣＰＵ５によって演算された温度や湿度などに関する測定データを記憶するＲＡＭ７と、図外のバックアップ電池によってバックアップされて年月日および時刻についての年月日データをＣＰＵ５に出力する時計部８と、例えば液晶表示器で構成された表示部９と、操作部１０と、表示部９の表示内容をプリントアウトするためのプリンタ１１とを備えている。なお、操作部１０は、電源スイッチ、テンキー、測定時間間隔を設定するための間隔設定スイッチ、表示部９に測定データを表示させる表示期間を設定するための表示期間設定スイッチ、表示部９に表示されている表示期間のうち後述する両カーソル２２，２３によって設定された期間における測定データを表示画面２１全体に拡大して表示する拡大表示機能を選択するための拡大機能選択スイッチ、および両カーソル２２，２３を移動させるためのカーソル移動用スイッチなどから構成されている。
【００２０】
ここで、表示部９は、ＣＰＵ５による制御下で、図１に示すような表示画面２１を表示する。表示画面２１では、縦軸が温度および湿度に対応し横軸が測定時間に対応するグラフ図と、各測定時間にそれぞれ対応する温度データおよび湿度データとが表示される。なお、測定データの数値自体は本発明において意味を有しないため、その記載を省略している。この場合、測定時間としては、西暦の下２桁と月日と、その月日において最初に測定した時刻とが表示される。なお、最初に測定する時刻は、操作部１０におけるスイッチ操作により任意の時刻に設定することが可能であるが、この実施形態では、例えば午前０時０分０秒にその日における最初の測定が行われたものとして表示する。また、表示画面２１には、各種の機能を実行可能にするＡカーソル２２およびＢカーソル２３が表示される。
【００２１】
次に、この測定装置１における全体的な動作について説明する。
【００２２】
操作部１０内の電源スイッチが操作されると、温度・湿度センサ２によって検出されたセンサ信号がアンプ部３およびＡ／Ｄ変換部４を介してＣＰＵ５に出力される。ＣＰＵ５は、センサ信号に基づいて温度および湿度を演算すると共に、その時に時計部８から出力されている年月日データと、演算した温度・湿度データとを対にしてＲＡＭ７に記憶させる。ＣＰＵ５は、操作部１０内の間隔設定スイッチおよびテンキーによって設定された所定時間毎に、これらの処理を繰り返し実行する。次いで、表示部９に表示させる表示期間が操作部１０の表示期間設定スイッチとテンキーとで設定されると、ＣＰＵ５は、設定された表示期間に対応する年月日データおよび測定データをＲＡＭ７から読み出し、読み出したこれらのデータを表示部９に表示させる。
【００２３】
この場合、例えば、表示期間として、１９９５年１月１日から１９９７年７月２０日までの範囲が設定された場合、ＣＰＵ５は、図１に示すように、毎年の１月１日および７月１日が表示されるように、年月日目盛り（本発明における時間軸目盛りに相当する）２４，２４・・の位置を調整しつつ表示させる。この場合、年月日目盛り２４，２４の間隔は、その年に属する日数に比例させて表示される。次いで、ＣＰＵ５は、測定データを年月日目盛り２４に対応させて表示させる。なお、操作部１０の拡大機能選択スイッチが選択された後に、拡大させる表示期間がカーソル２２，２３によって設定された場合には、ＣＰＵ５は、両カーソル２２，２３によって設定された測定年月日が表示画面２１の時間軸の左右両端近傍にそれぞれ位置するように表示画面２１の年月日目盛り２４，２４・・を表示すると共に、その表示期間内の各測定時間にそれぞれ対応する測定データを表示する。
【００２４】
次に、年月日目盛りの表示処理について図１〜９を参照して具体的に説明する。
【００２５】
表示期間が設定されると、ＣＰＵ５は、まず、表示期間が６日以内であるか否かを判別する。６日以内であると判別したときは、ＣＰＵ５は、表示期間内のすべての測定日にそれぞれ対応する年月日目盛り２４，２４・・と、これらの年月日目盛り２４にそれぞれ対応する測定年月日および測定時刻とを表示させると共に、設定された表示期間内に測定された測定データを表示させる。
【００２６】
一方、７日〜３１日以内の表示期間が設定されたと判別した場合、ＣＰＵ５は、図９の最上段の第１欄に示すように、下１桁が１の日、または６の日に該当する日が表示期間内の測定日に含まれているか否かを判別する。この場合、例えば、１９９７年１２月５日〜１９９８年１月２日までの表示期間が設定されたときには、図２に示すように、下１桁が１日または６日に該当する最初の日である１９９７年１２月６日を、表示画面２１における左側の最初の表示位置（以下、「表示先頭位置」という）に表示させると共に、１９９７年１２月１１、１９９７年１２月１６日というように、下１桁が１の日および６の日に対応する年月日目盛り２４，２４・・、およびこれらの年月日を表示させる。また、ＣＰＵ５は、設定された表示期間内に測定された測定データを併せて表示させる。
【００２７】
また、３２日〜６０日以内の表示期間が設定されたと判別した場合には、ＣＰＵ５は、図９の第２欄に示すように、下１桁または２桁が１の日、１１の日または２１の日に該当する日が表示期間内の測定日に含まれているか否かを判別する。この場合、例えば、１９９８年２月１日〜１９９８年３月２２日までの表示期間が設定されたときには、図３に示すように、下１桁または２桁が１の日、１１の日または２１の日に該当する最初の日である１９９８年２月１日を表示画面２１の表示先頭位置に表示させると共に、１９９８年２月１１日、１９９８年２月２１日というように、下１桁または２桁が１の日、１１の日または２１の日に対応する年月日目盛り２４，２４・・、およびこれらの年月日を表示させる。また、ＣＰＵ５は、設定された表示期間内に測定された測定データを併せて表示させる。
【００２８】
また、６１日〜８９日以内の表示期間が設定されたと判別した場合には、ＣＰＵ５は、図９の第３欄に示すように、下１桁が１の日または下２桁が１６の日に該当する日が表示期間内の測定日に含まれているか否かを判別する。この場合、例えば、１９９８年１月１日〜現在（１９９８年３月１６日であるとする）までの表示期間が設定されたときには、図４に示すように、下１桁が１の日または下２桁が１６の日に該当する最初の日である１９９８年１月１日を表示画面２１の表示先頭位置に表示させると共に、１９９８年１月１６日、１９９８年２月１日というように、下１桁が１の日または下２桁が１６の日に対応する年月日目盛り２４，２４・・、およびこれらの年月日を表示させる。また、ＣＰＵ５は、設定された表示期間内に測定された測定データを併せて表示させる。
【００２９】
さらに、９０日〜１８１日以内の表示期間が設定されたと判別した場合には、ＣＰＵ５は、図９の第４欄に示すように、月初めの１日に該当する日が表示期間内の測定日に含まれているか否かを判別する。この場合、例えば、１９９７年７月１５日〜１９９８年１月１日までの表示期間が設定されたときには、図５に示すように、月初めの１日の日に該当する最初の日である１９９７年８月１日を表示画面２１の表示先頭位置に表示させると共に、１９９７年９月１日、１９９７年１０月１日というように、月初めの１日に対応する年月日目盛り２４，２４・・、およびこれらの年月日を表示させる。また、ＣＰＵ５は、設定された表示期間内に測定された測定データを併せて表示させる。
【００３０】
また、１８２日〜３６５日以内の表示期間が設定されたと判別した場合には、ＣＰＵ５は、図９の第５欄に示すように、月初めの１日に該当する日が表示期間内の測定日に含まれているか否かを判別する。この場合、例えば、１９９７年３月１日〜１９９８年１月１５日までの表示期間が設定されたときには、月初めの１日に該当する日が複数含まれており、すべてを表示させることが困難のため、隔月の１日を優先的に表示させるものとする。したがって、図６に示すように、これらの日に該当する最初の日である１９９７年３月１日を表示画面２１の表示先頭位置に表示させると共に、１９９７年５月１日、１９９７年７月１日というように、隔月における月初めの１日に対応する年月日目盛り２４，２４・・、およびこれらの年月日を表示させる。また、ＣＰＵ５は、設定された表示期間内に測定された測定データを併せて表示させる。
【００３１】
さらに、３６６日〜５４６日以内の表示期間が設定されたと判別した場合には、ＣＰＵ５は、月初めの１日に該当する日が表示期間内の測定日に含まれているか否かを判別する。この場合、例えば、１９９６年３月１日〜１９９７年７月３１日までの表示期間が設定されたときには、月初めの１日に該当する日が複数含まれており、これらのすべてを表示させることが困難のため、図９の第６欄に示すように、２ヶ月おきに月初めの１日を優先的に表示させるものとする。したがって、図７に示すように、これらの日に該当する最初の日である１９９７年３月１日を表示画面２１の表示先頭位置に表示させると共に、１９９７年６月１日、１９９７年９月１日というように、２ヶ月おきの月初めの１日に対応する年月日目盛り２４，２４・・、およびこれらの年月日を表示させる。また、ＣＰＵ５は、設定された表示期間内に測定された測定データを併せて表示させる。
【００３２】
また、５４７日〜１０９６日以内の表示期間が設定されたと判別した場合には、ＣＰＵ５は、月初めの１日に該当する日が表示期間内の測定日に含まれているか否かを判別する。この場合、例えば、１９９５年１月１日〜現在（１９９７年９月３０日であるとする）までの表示期間が設定されたときには、月初めの１日に該当する日が複数含まれており、これらのすべてを表示させることが困難のため、図９の第７欄に示すように、毎年の年初めの１月１日および７月１日を優先的に表示させるものとする。したがって、図１に示すように、これらの日に該当する最初の日である１９９５年１月１日を表示画面２１の表示先頭位置に表示させると共に、１９９５年７月１日、１９９６年１月１日というように、１月１日を基準として半年おきの月初めの１日に対応する年月日目盛り２４，２４・・、およびこれらの年月日を表示させる。また、ＣＰＵ５は、設定された表示期間内に測定された測定データを併せて表示させる。
【００３３】
また、１０９６日以上の表示期間が設定されたと判別した場合には、ＣＰＵ５は、年初めの１月１日または７月１日に該当する日が表示期間内の測定日に含まれているか否かを判別する。この場合、例えば、１９９３年１月１日〜現在（１９９８年３月３０日であるとする）までの表示期間が設定されたときには、年初めの１月１日および７月１日に該当する日が複数含まれており、これらのすべてを表示させることが困難のため、図９の第８欄に示すように、毎年の年初めの１月１日を最優先で表示させるものとする。したがって、図８に示すように、これらの日に該当する最初の日である１９９３年１月１日を表示画面２１の表示先頭位置に表示させると共に、１９９４年１月１日、１９９５年１月１日というように、設定された表示期間のうちの最初の年の１月１日を基準として毎年の１月１日に対応する年月日目盛り２４，２４・・、およびこれらの年月日を表示させる。また、ＣＰＵ５は、設定された表示期間内に測定された測定データを併せて表示させる。
【００３４】
以上のように、本実施形態に係る測定装置１によれば、表示画面２１に表示する測定年月日として、毎年の１月１日、次いで７月１日の順に優先的に表示し、、その次の優先順位として、数ヶ月おきの月初めの１日を表示し、さらに次の優先順位として、毎月の１日を表示する。また、設定された表示期間の日数が少ない場合には、毎月の１日および１６日を優先的に表示し、次いで、毎月の１日、１１日および２１日を優先的に表示し、最後の優先順位として、毎月の下１桁が、１の日、６の日を表示する。この結果、年および月の区切れの日が表示画面２１に常に表示されるため、測定データを極めて容易に確認することができる。また、プリンタ１１によって表示画面２１の表示内容をプリントアウトして作成した測定データの年報、旬報および月報なども非常に見易い資料となる。さらに、両カーソル２２，２３を使用しての拡大表示などを行う場合にも、カーソルの位置合わせを極めて容易に行うことができる。
【００３５】
なお、本発明は、本実施形態に示した表示方法に限定されない。例えば、測定年月日を設定する優先順位を表示画面２１の大きさや表示文字の大きさに応じて適宜変更することが可能である。例えば、表示画面２１の大きさによっては、上記した図９の第５欄における例では、毎月における月初めの１日をすべて表示させることもできる。
【００３６】
また、温度や湿度などの測定データを表示する表示方法に限定されず、電圧、電流および電力などの測定データを表示する場合にも適用が可能である。
【００３７】
【発明の効果】
以上のように、請求項１記載の測定データの表示方法によれば、少なくとも２日間以上連続して測定した測定データを表示部に表示する際に、下１桁が１の日および６の日のいずれかに該当する測定日が含まれているときに、その該当する測定日を優先的に表示することにより、測定データを月毎などで容易に確認することができると共に、表示部の表示内容をプリントアウトした資料による測定データの月毎の管理が極めて容易になる。
【００３８】
また、請求項２記載の測定データの表示方法によれば、表示部に表示する測定日内に下１桁が１の日および６の日に該当する測定日が所定数以上含まれているときに、下１桁が１の日を優先的に表示することにより、表示内容をより見易くすることができる。
【００３９】
さらに、請求項３記載の測定データの表示方法によれば、表示部に表示する測定日内に下１桁が１の日に該当する測定日が所定数以上含まれているときに、下１桁が１の日を優先的に表示することにより、表示内容をより見易くすることができる。
【００４０】
さらに、請求項４記載の測定データの表示方法によれば、表示部に表示する測定日内に月初めの１日が複数含まれているときに、月初めの１日をさらに優先的に表示することにより、月報などによって測定データを極めて容易に管理することができる。
【００４１】
また、請求項５記載の測定データの表示方法によれば、表示部に表示する測定日内に月初めの１日が所定数以上含まれているときに、隔月または数ヶ月おきの月初めの１日を最優先で表示することにより、旬報などによって測定データを極めて容易に管理することができる。
【００４２】
さらに、請求項６記載の測定データの表示方法によれば、表示部に測定日を表示する際に、表示する測定日に対応させて時間軸目盛りを表示することにより、例えば、２つのカーソルを表示部に併せて表示し、両カーソル間における測定データのみを拡大して表示する場合など、両カーソルを、月初めと、次の月初めまたは数ヶ月後の月初めとにそれぞれ迅速に位置合わせすることができる。
【図面の簡単な説明】
【図１】本実施形態に係る温度湿度測定装置の表示画面に５４７日〜１０９５日までの表示期間における年月日目盛りを表示した例を示す表示画面図である。
【図２】本実施形態に係る温度湿度測定装置の表示画面に７日〜３１日までの表示期間における年月日目盛りを表示した例を示す表示画面図である。
【図３】本実施形態に係る温度湿度測定装置の表示画面に３２日〜６０日までの表示期間における年月日目盛りを表示した例を示す表示画面図である。
【図４】本実施形態に係る温度湿度測定装置の表示画面に６１日〜８９日までの表示期間における年月日目盛りを表示した例を示す表示画面図である。
【図５】本実施形態に係る温度湿度測定装置の表示画面に９０日〜１８１日までの表示期間における年月日目盛り２４を表示した例を示す表示画面図である。
【図６】本実施形態に係る温度湿度測定装置の表示画面に１８２日〜３６５日までの表示期間における年月日目盛りを表示した例を示す表示画面図である。
【図７】本実施形態に係る温度湿度測定装置の表示画面に３６６日〜５４６日までの表示期間における年月日目盛りを表示した例を示す表示画面図である。
【図８】本実施形態に係る温度湿度測定装置の表示画面に１０９５日以上の表示期間における年月日目盛りを表示した例を示す表示画面図である。
【図９】本実施形態に係る温度湿度測定装置の表示画面に表示される表示期間と年月日目盛りとの関係を説明するための説明図である。
【図１０】本実施形態に係る温度湿度測定装置のブロック図である。
【図１１】従来の測定データの表示方法における表示例を示す表示画面図である。
【符号の説明】
１  温度湿度測定装置
９  表示部
２１  表示画面
２４  年月日目盛り
【図１】
0003798879.tif 000002
【図２】
0003798879.tif 000003
【図３】
0003798879.tif 000004
【図４】
0003798879.tif 000005
【図５】
0003798879.tif 000006
【図６】
0003798879.tif 000007
【図７】
0003798879.tif 000008
【図８】
0003798879.tif 000009
【図９】
0003798879.tif 000010
【図１０】
0003798879.tif 000011
【図１１】
0003798879.tif 000012